(57)【要約】【課題】従来の装置では対応ができなかった、紙山から供給される前後方向に反りを有する紙葉の上面を常に前揃え板の望ましい高さに受け入れるように制御し、紙の流れを安定化し、二枚給紙のようなトラブルを防止しうる給紙装置を提供する。【解決手段】昇降可能なパイル台、紙尻押えをもつセパレータ及び前紙揃え板からなる給紙装置において、前揃い板のパイル台に対し後方の位置に配置された、パイル台上の紙山の上面を検知するためのファイバセンサ、その検知情報に基づき、搬送される紙葉が前揃え板の基準高さに到達するようにパイル台の昇降を調節するための制御機構を備えた給紙装置とする。【選択図】　図１
0003097125.tif 000002
【実用新案登録請求の範囲】
【請求項１】
昇降可能なパイル台、紙尻押えをもつセパレータ及び前紙揃え板からなる給紙装置において、前揃い板のパイル台に対し後方の位置に配置された、パイル台上の紙山の上面を検知するためのファイバセンサ、その検知情報に基づき、搬送される紙葉が前揃え板の基準高さに到達するようにパイル台の昇降を調節するための制御機構を備えたことを特徴とする給紙装置。
【請求項２】
さらにセパレータの高さを紙山の高さに自動的に追従させるための機構を備えた請求項１記載の給紙装置。
【考案の詳細な説明】
【０００１】
【考案の属する技術分野】
本考案は、印刷機や紙加工機に対して枚葉ごとに給紙する装置の改良、特に紙山の最上部にある紙葉の反りに起因する給紙動作のトラブルを抑制するための改良に関するものである。
【０００２】
【従来の技術】
印刷機や紙加工機、例えば自動平盤打抜機に対して、枚葉ごとすなわち１枚ずつ紙を送りこむ給紙装置としては、パイル台上に積み上げられた紙を真空吸着により、各葉ごとにずらしながら送り出す形式のものが一般的であるが、このようにして送り出される紙は、印刷又は紙加工工程の直前で、基準位置にこれらの工程に送り込むために位置の補正を行うことが必要である。
【０００３】
この補正は、通常、パイル台上に積載された紙山の最上部の紙葉の端部を光電変換器で監視し、ずれが認められたならばパイル台を適宜移動して、上記の紙葉を基準位置に矯正することによって行われている（特許文献１参照）。
【０００４】
しかしながら、打抜機に供給される用紙は、通常、印刷や表面コーティングのような加工が施されているため、印刷インキや被覆処理剤の作用により反りを生じることが多く、この反りの方向も左右方向、前後方向など様々である。このため、パイル台上の各紙葉が変形し、光電変換器による最上部の紙葉の端部の位置を正確に検知することができず、ずれた位置の矯正が不完全になるのを免れない。
【０００５】
他方、パイル台からレジスターボードを介して打抜機に向けて搬送中の紙葉の後端側縁を、複数の光電変換器で検知しながら、パイル台を左右方向に移動調整する形式の給紙装置も知られている（特許文献２参照）。
【０００６】
そして、この給紙装置においては、各紙葉の変形に起因する補正の誤差は、ある程度是正されるが、紙葉の後端で行われる位置のずれの検知とは全く別に紙葉の前端において横見当合せを行うことが必要であり、紙葉の前端部と後端部の間の変形の差についての位置調整は不完全になるという欠点がある。
【０００７】
このような欠点を改良するために、紙検出手段を打抜部の直前に位置する前当てに到達した紙の前端側縁に沿って設けられた横見当合せ装置に組み込んだ給紙装置が提案されている（特許文献３参照）。
【０００８】
しかしながら、給紙に際しては、各紙葉の前端が常に前揃え板の高さより若干低い位置に制御されているのが望ましいが、前後方向に反りを生じている紙葉が用いられる場合には、上記の装置によっては、これに対する対応ができない。
【０００９】
【特許文献１】
実開平１−１７６６４３号公報（実用新案登録請求の範囲その他）
【特許文献２】
実開昭６０−１１９０４６号公報（実用新案登録請求の範囲その他）
【特許文献３】
特開平４−１００１３２号公報（特許請求の範囲その他）
【００１０】
【考案が解決しようとする課題】
本考案は、従来の装置では対応ができなかった、紙山から供給される前後方向に反りを有する紙葉の上面を常に前揃え板の望ましい高さに受け入れるように制御し、紙の流れを安定化し、二枚給紙のようなトラブルを防止しうる給紙装置を提供するものである。
【００１１】
【課題を解決するための手段】
本考案者は、印刷機や紙加工機に対して給紙する際、従来の装置のもつ欠点を克服し、紙葉の流れを円滑に行って、作業効率を向上させる装置を開発するために鋭意研究を重ねた結果、横見当合せ部材とは別に、紙山の上面を監視する紙山監視用ファイバセンサを配置し、その結果に基づいて、搬送される紙葉の前端が前揃い板の基準高さにくるようにパイル台の高さを調節すれば、印刷機や紙加工機に対して給紙する際の紙葉の流れを円滑にしうること、及びさらに上記の監視結果に基づいてセパレータの高さを紙尻の高さに自動的に追従させれば、さらに好ましい給紙がなされることを見出し、この知見に基づいて本考案をなすに至った。
【００１２】
すなわち、本考案は、昇降可能なパイル台、紙尻押えをもつセパレータ及び前紙揃え板からなる給紙装置において、前揃い板のパイル台に対し後方の位置に配置された、パイル台上の紙山の上面を検知するためのファイバセンサ、その検知情報に基づき、搬送される紙葉が前揃え板の基準高さに到達するようにパイル台の昇降を調節するための制御機構を備えたことを特徴とする給紙装置、及び所望に応じ、さらにセパレータの高さを紙山の高さに自動的に追従させるための機構を備えたことを特徴とする給紙装置を提供するものである。
【００１３】
【考案の実施の形態】
次に添付図面に従って、本考案をさらに詳細に説明する。
図１は、本考案給紙装置の要部を示す側面図、図２は、同図の前紙揃え板部分の拡大側面図である。これらの図において、パイル台（図示せず）上の紙山１は、その前端が前紙揃え板２に接し、後端上部を紙尻押え３により押えられ、最上部の紙葉が印刷機又は紙加工機（いずれも図示せず）に搬送される状態になっている。
【００１４】
この装置において紙山を積載する場合は、パイル台を下限まで下降させ、同時に紙山の上昇時に突き上げられないようにセパレータ４は上限まで上昇させて停止しておく。
【００１５】
次いで紙山１を積載したパイル台を、紙山上面が紙流れ開始に適正な位置に到達するまで上昇させたのち、常法に従いリミットスイッチを利用した物理的な検出手段により上昇を停止させる。
【００１６】
上昇が停止したならば前紙揃え板２の紙山１に対し後方の位置に配置されたファイバセンサ５を作動させたのち、このファイバセンサ５により紙山上面が検知されるまでパイル台を上昇させる。ファイバセンサ５が紙山の上面を検知するとパイル台の上昇は停止し、それと同時にセパレータ上下駆動モータ６によりセパレータ４が下降し、紙尻押え３がスイッチオフになったところで停止する。
【００１７】
このような状態で給紙装置の運転を開始すると、ファイバセンサ５がスイッチオンとなり紙山１の検出が開始され、紙葉が検出されなくなると、パイル台駆動モータ（図示せず）が作動してパイル台の上昇が行われ、最上部の紙葉が基準位置に到達するように調整される。この際、ファイバセンサ５による検知が行われず、パイル台が上昇しているにもかかわらず紙尻押え３がスイッチオフの状態になると、セパレータ４の高さが紙尻の反りに対し不適切な位置にあるということになる。
【００１８】
したがって、このような状態にあるときは、セパレータ４を自動的に追従する制御機構が作動し、セパレータ４は紙葉の高さに対して理想的な位置、すなわち基準位置に移動する。
このようにして、最適の位置に調整された紙葉は、給紙ローラ７及び８により印刷機又は紙加工機に搬送される。
【００１９】
【考案の効果】
本考案によれば、紙山からの紙葉が常時前揃い板の最も好ましい高さの位置にくるように制御されるので、印刷機や紙加工機に搬送される紙葉の流れが安定し、二枚給紙のようなトラブルを起すことがなくなる。また、作業者が常に給紙状態を監視する必要がないので作業時間の上にも余裕を生じるという利点がある。
【図面の簡単な説明】
【図１】本考案装置の側面図。
【図２】図１の前紙揃え板部分の拡大側面図。
【符号の説明】
１　紙山
２　前紙揃え板
３　紙尻押え
４　セパレータ
５　ファイバセンサ
６　セパレータ上下駆動モータ
７、８　給紙ローラ
【図１】
0003097125.tif 000003
【図２】
0003097125.tif 000004